(57)【特許請求の範囲】
【請求項１】
吸収器（２２）と、高温再生器（４４）と、低温再生器（４８）と、排熱焚再生器（３０）と、凝縮器（５０）と、蒸発器（５２）とを有する吸収冷温水機（２０）において、吸収器（２２）から送出された稀溶液が流過する稀溶液ライン（Ｌ１）は、第１の分岐点（ＢＰ）で、低温溶液熱交換器（２６）が介装されている第１の分岐ライン（Ｌ１−１）と、冷媒ドレン熱交換器（７０）が介装されている第２の分岐ライン（Ｌ１−２）とに分岐されており、前記冷媒ドレン熱交換器（７０）は、高温再生器（４４）で再生した冷媒蒸気が流れるライン（Ｌ１１）の低温再生器（４８）と凝縮器（５０）の間の領域（Ｌ１１−７０）が前記冷媒ドレン熱交換器（７０）と熱的に連通せしめ、以って、低温再生器（４８）を経由した後の冷媒が保有するエンタルピーを前記第２の分岐ライン（Ｌ１−２）を流れる稀溶液へ投入する様に構成されており、
前記第１の分岐ライン（Ｌ１−１）は、低温溶液熱交換器（２６）を経由した後に前記第２の分岐ライン（Ｌ１−２）とは合流せずに排熱焚再生器（３０）に連通し、該排熱焚再生器（３０）から高温再生器（４４）に向かうライン（Ｌ１−１４４）は、排熱焚再生器（３０）と高温溶液熱交換器（４２）の間の第１の合流点（ＧＰ）で前記第２の分岐ライン（Ｌ１−２）と合流して高温再生器（４４）に連通し（Ｌ１−４４）、高温再生器（４４）で加熱された吸収溶液は、中間濃度溶液ライン（Ｌ３）を流れて低温再生器（４８）へ流入し、低温再生器（４８）で加熱された後に高濃度溶液ライン（Ｌ４）を流れ、低温溶液熱交換器（２６）を経由して吸収器（２２）に戻る様に構成されていることを特徴とする吸収冷温水機。
【請求項２】
吸収器（２２）と、高温再生器（４４）と、低温再生器（４８）と、排熱焚再生器（３０）と、凝縮器（５０）と、蒸発器（５２）とを有する吸収冷温水機（２０）において、吸収器（２２）から送出された稀溶液が流過する稀溶液ライン（Ｌ１）は、第１の分岐点（ＢＰ）で、低温溶液熱交換器（２６）が介装されている第１の分岐ライン（Ｌ１−１）と、冷媒ドレン熱交換器（７０）が介装されている第２の分岐ライン（Ｌ１−２）とに分岐されており、前記冷媒ドレン熱交換器（７０）は、高温再生器（４４）で再生した冷媒蒸気が流れるライン（Ｌ１１）の低温再生器（４８）と凝縮器（５０）の間の領域（Ｌ１１−７０）が前記冷媒ドレン熱交換器（７０）と熱的に連通せしめ、以って、低温再生器（４８）を経由した後の冷媒が保有するエンタルピーを前記第２の分岐ライン（Ｌ１−２）を流れる稀溶液へ投入する様に構成されており、
前記第１の分岐ライン（Ｌ１−１）は、低温溶液熱交換器（２６）を経由した後に前記第２の分岐ライン（Ｌ１−２）とは合流せずに排熱焚再生器（３０）に連通し、該排熱焚再生器（３０）から高温再生器（４４）に向かうライン（Ｌ１−１４４）は、高温溶液熱交換器（４２）と高温再生器（４４）の間の第１の合流点（ＧＰ）で前記第２の分岐ライン（Ｌ１−２）と合流して高温再生器（４４）に連通し、高温再生器（４４）で加熱された吸収溶液は中間濃度溶液ライン（Ｌ３）を流れて低温再生器（４８）へ流入し、低温再生器（４８）で加熱された後に高濃度溶液ライン（Ｌ４）を流れ、低温溶液熱交換器（２６）を経由して吸収器（２２）に戻る様に構成されていることを特徴とする吸収冷温水機。
【請求項３】
吸収器（２２）と、高温再生器（４４）と、低温再生器（４８）と、排熱焚再生器（３０）と、凝縮器（５０）と、蒸発器（５２）とを有する吸収冷温水機（２０）において、吸収器（２２）から送出された稀溶液が流過する稀溶液ライン（Ｌ１）は、第１の分岐点（ＢＰ）で、低温溶液熱交換器（２６）が介装されている第１の分岐ライン（Ｌ１−１）と、冷媒ドレン熱交換器（７０）が介装されている第２の分岐ライン（Ｌ１−２）とに分岐されており、前記冷媒ドレン熱交換器（７０）は、高温再生器（４４）で再生した冷媒蒸気が流れるライン（Ｌ１１）の低温再生器（４８）と凝縮器（５０）の間の領域（Ｌ１１−７０）が前記冷媒ドレン熱交換器（７０）と熱的に連通せしめ、以って、低温再生器（４８）を経由した後の冷媒が保有するエンタルピーを前記第２の分岐ライン（Ｌ１−２）を流れる稀溶液へ投入する様に構成されており、
前記第１の分岐ライン（Ｌ１−１）は、低温溶液熱交換器（２６）を経由した後に前記第２の分岐ライン（Ｌ１−２）とは合流せずに、第２の分岐点（Ｐ１）で高温再生器（４４）に連通するライン（Ｌ１−１１）と排熱焚再生器（３０）に連通するライン（Ｌ１−１２）に分岐し、高温再生器（４４）に連通するライン（Ｌ１−１１）は第２の分岐点（Ｐ１）と高温溶液熱交換器（４２）の間の第１の合流点（ＧＰ）で前記第２の分岐ライン（Ｌ１−２）と合流して（Ｌ１−４４）高温再生器（４４）へ連通し、排熱焚再生器（３０）に連通するライン（Ｌ１−１２）を流れる稀溶液は排熱焚再生器（３０）で加熱されて低温再生器（４８）に流入し、低温再生器（４８）で加熱された吸収溶液が流れるライン（Ｌ１−１２２）は高温再生器（４４）からの溶液ライン（Ｌ３）と第２の合流点（Ｐ２）で合流し、低温溶液熱交換器（２６）を経由して吸収器（２２）へ連通することを特徴とする吸収冷温水機。
【請求項４】
吸収器（２２）と、高温再生器（４４）と、低温再生器（４８）と、排熱焚再生器（３０）と、凝縮器（５０）と、蒸発器（５２）とを有する吸収冷温水機（２０）において、吸収器（２２）から送出された稀溶液が流過する稀溶液ライン（Ｌ１）は、第１の分岐点（ＢＰ）で、低温溶液熱交換器（２６）が介装されている第１の分岐ライン（Ｌ１−１）と、冷媒ドレン熱交換器（７０）が介装されている第２の分岐ライン（Ｌ１−２）とに分岐されており、前記冷媒ドレン熱交換器（７０）は、高温再生器（４４）で再生した冷媒蒸気が流れるライン（Ｌ１１）の低温再生器（４８）と凝縮器（５０）の間の領域（Ｌ１１−７０）が前記冷媒ドレン熱交換器（７０）と熱的に連通せしめ、以って、低温再生器（４８）を経由した後の冷媒が保有するエンタルピーを前記第２の分岐ライン（Ｌ１−２）を流れる稀溶液へ投入する様に構成されており、
前記第１の分岐ライン（Ｌ１−１）は、低温溶液熱交換器（２６）を経由した後に前記第２の分岐ライン（Ｌ１−２）とは合流せずに、第２の分岐点（Ｐ１）で高温再生器（４４）に連通するライン（Ｌ１−１１）と排熱焚再生器（３０）に連通するライン（Ｌ１−１２）に分岐し、高温再生器（４４）に連通するライン（Ｌ１−１１）は高温溶液熱交換器（４２）と高温再生器（４４）の間の第１の合流点（ＧＰ）で前記第２の分岐ライン（Ｌ１−２）と合流して高温再生器（４４）へ連通し、排熱焚再生器（３０）に連通するライン（Ｌ１−１２）を流れる稀溶液は排熱焚再生器（３０）で加熱されて低温再生器（４８）に流入し、低温再生器（４８）で加熱された吸収溶液が流れるライン（Ｌ１−１２２）は高温再生器（４４）からの溶液ライン（Ｌ３）と第２の合流点（Ｐ２）で合流し、低温溶液熱交換器（２６）を経由して吸収器（２２）へ連通することを特徴とする吸収冷温水機。
【請求項５】
吸収器（２２）と、高温再生器（４４）と、低温再生器（４８）と、排熱焚再生器（３０）と、凝縮器（５０）と、蒸発器（５２）とを有する吸収冷温水機（２０）において、吸収器（２２）から送出された稀溶液が流過する稀溶液ライン（Ｌ１）は、第１の分岐点（ＢＰ）で、低温溶液熱交換器（２６）が介装されている第１の分岐ライン（Ｌ１−１）と、冷媒ドレン熱交換器（７０）が介装されている第２の分岐ライン（Ｌ１−２）とに分岐されており、前記冷媒ドレン熱交換器（７０）は、高温再生器（４４）で再生した冷媒蒸気が流れるライン（Ｌ１１）の低温再生器（４８）と凝縮器（５０）の間の領域（Ｌ１１−７０）が前記冷媒ドレン熱交換器（７０）と熱的に連通せしめ、以って、低温再生器（４８）を経由した後の冷媒が保有するエンタルピーを前記第２の分岐ライン（Ｌ１−２）を流れる稀溶液へ投入する様に構成されており、
前記第１の分岐ライン（Ｌ１−１）は、低温溶液熱交換器（２６）を経由した後に前記第２の分岐ライン（Ｌ１−２）とは合流せずに排熱焚再生器（３０）に連通し、排熱焚再生器（３０）で加熱された吸収溶液が流れるライン（Ｌ１−３１）は、第２の分岐点（Ｐ１）で高温再生器（４４）に連通するライン（Ｌ１−４４）と低温再生器（４８）に連通するライン（Ｌ１−４８）に分岐し、高温再生器（４４）に連通するライン（Ｌ１−４４）を流れる稀溶液は高温溶液熱交換器（４２）を経由して高温再生器（４４）へ流入し、低温再生器（４８）に連通するライン（Ｌ１−４８）は第１の合流点（ＧＰ）で前記第２の分岐ライン（Ｌ１−２）と合流し、該ラインを流れる稀溶液は低温再生器（４８）に流入して加熱され、低温再生器（４８）で加熱された吸収溶液が流れるライン（Ｌ１−５１）は、高温再生器（４４）からの溶液ライン（Ｌ３）と第２の合流点（Ｐ２）で合流し（Ｌ４）、低温溶液熱交換器（２６）を経由して吸収器（２２）へ連通することを特徴とする吸収冷温水機。
【請求項６】
吸収器（２２）と、高温再生器（４４）と、低温再生器（４８）と、排熱焚再生器（３０）と、凝縮器（５０）と、蒸発器（５２）とを有する吸収冷温水機（２０）において、吸収器（２２）から送出された稀溶液が流過する稀溶液ライン（Ｌ１）は、第１の分岐点（ＢＰ）で、低温溶液熱交換器（２６）が介装されている第１の分岐ライン（Ｌ１−１）と、冷媒ドレン熱交換器（７０）が介装されている第２の分岐ライン（Ｌ１−２）とに分岐されており、前記冷媒ドレン熱交換器（７０）は、高温再生器（４４）で再生した冷媒蒸気が流れるライン（Ｌ１１）の低温再生器（４８）と凝縮器（５０）の間の領域（Ｌ１１−７０）が前記冷媒ドレン熱交換器（７０）と熱的に連通せしめ、以って、低温再生器（４８）を経由した後の冷媒が保有するエンタルピーを前記第２の分岐ライン（Ｌ１−２）を流れる稀溶液へ投入する様に構成されており、
前記第１の分岐ライン（Ｌ１−１）は、低温溶液熱交換器（２６）を経由した後に前記第２の分岐ライン（Ｌ１−２）とは合流せずに排熱焚再生器（３０）に連通し、排熱焚再生器（３０）で加熱された吸収溶液が流れるライン（Ｌ１−３１）は、第２の分岐点（Ｐ１）で高温再生器（４４）に連通するライン（Ｌ１−４４）と低温再生器（４８）に連通するライン（Ｌ１−４８）に分岐し、高温再生器（４４）に連通するライン（Ｌ１−４４）は、第２の分岐点（Ｐ１）と高温溶液熱交換器（４２）の間の第１の合流点（ＧＰ）で前記第２の分岐ライン（Ｌ１−２）と合流して高温再生器（４４）へ連通し、低温再生器（４８）に連通するライン（Ｌ１−４８）を流れる稀溶液は低温再生器（４８）に流入して加熱され、低温再生器（４８）で加熱された吸収溶液が流れるライン（Ｌ１−４９）は、高温再生器（４４）からの溶液ライン（Ｌ３）と第２の合流点（Ｐ２）で合流し、低温溶液熱交換器（２６）を経由して吸収器へ連通することを特徴とする吸収冷温水機。
【請求項７】
吸収器（２２）と、高温再生器（４４）と、低温再生器（４８）と、排熱焚再生器（３０）と、凝縮器（５０）と、蒸発器（５２）とを有する吸収冷温水機（２０）において、吸収器（２２）から送出された稀溶液が流過する稀溶液ライン（Ｌ１）は、第１の分岐点（ＢＰ）で、低温溶液熱交換器（２６）が介装されている第１の分岐ライン（Ｌ１−１）と、冷媒ドレン熱交換器（７０）が介装されている第２の分岐ライン（Ｌ１−２）とに分岐されており、前記冷媒ドレン熱交換器（７０）は、高温再生器（４４）で再生した冷媒蒸気が流れるライン（Ｌ１１）の低温再生器（４８）と凝縮器（５０）の間の領域（Ｌ１１−７０）が前記冷媒ドレン熱交換器（７０）と熱的に連通せしめ、以って、低温再生器（４８）を経由した後の冷媒が保有するエンタルピーを前記第２の分岐ライン（Ｌ１−２）を流れる稀溶液へ投入する様に構成されており、
前記第１の分岐ライン（Ｌ１−１）は、低温溶液熱交換器（２６）を経由した後に前記第２の分岐ライン（Ｌ１−２）とは合流せずに排熱焚再生器（３０）に連通し、排熱焚再生器（３０）で加熱された吸収溶液が流れるライン（Ｌ１−３１）は、第２の分岐点（Ｐ１）で高温再生器（４４）に連通するライン（Ｌ１−４４）と低温再生器（４８）に連通するライン（Ｌ１−４８）に分岐し、高温再生器（４４）に連通するライン（Ｌ１−４４）は、高温溶液熱交換器（４２）と高温再生器（４４）の間の第１の合流点（ＧＰ）で前記第２の分岐ライン（Ｌ１−２）と合流して（Ｌ１−４６）高温再生器（４４）へ連通し、低温再生器（４８）に連通するライン（Ｌ１−４８）を流れる稀溶液は低温再生器（４８）に流入して加熱され、低温再生器（４８）で加熱された吸収溶液が流れるライン（Ｌ１−４９）は、高温再生器（４４）からの溶液ライン（Ｌ３）と第２の合流点（Ｐ２）で合流し、低温溶液熱交換器（２６）を経由して吸収器へ連通することを特徴とする吸収冷温水機。
【請求項８】
吸収器（２２）と、高温再生器（４４）と、低温再生器（４８）と、排熱焚再生器（３０）と、凝縮器（５０）と、蒸発器（５２）とを有する吸収冷温水機（２０）において、吸収器（２２）から送出された稀溶液が流過する稀溶液ライン（Ｌ１）は、第１の分岐点（ＢＰ）で、低温溶液熱交換器（２６）が介装されている第１の分岐ライン（Ｌ１−１）と、冷媒ドレン熱交換器（７０）が介装されている第２の分岐ライン（Ｌ１−２）とに分岐されており、前記冷媒ドレン熱交換器（７０）は、高温再生器（４４）で再生した冷媒蒸気が流れるライン（Ｌ１１）の低温再生器（４８）と凝縮器（５０）の間の領域（Ｌ１１−７０）が前記冷媒ドレン熱交換器（７０）と熱的に連通せしめ、以って、低温再生器（４８）を経由した後の冷媒が保有するエンタルピーを前記第２の分岐ライン（Ｌ１−２）を流れる稀溶液へ投入する様に構成されており、
前記第１の分岐ライン（Ｌ１−１）は、低温溶液熱交換器（２６）を経由した後に前記第２の分岐ライン（Ｌ１−２）とは合流せずに排熱焚再生器（３０）に連通し、排熱焚再生器（３０）で加熱された吸収溶液が流れるライン（Ｌ１−１３０）は低温再生器（４８）に連通し、低温再生器（４８）で加熱された吸収溶液が流れるライン（Ｌ６）は、低温再生器（４８）と高温溶液熱交換器（４２）の間の第１の合流点（ＧＰ）で前記第２の分岐ライン（Ｌ１−２）と合流して高温再生器（４４）へ連通し、高温再生器（４４）で加熱された吸収溶液は吸収器（２２）へ戻されることを特徴とする吸収冷温水機。
【請求項９】
吸収器（２２）と、高温再生器（４４）と、低温再生器（４８）と、排熱焚再生器（３０）と、凝縮器（５０）と、蒸発器（５２）とを有する吸収冷温水機（２０）において、吸収器（２２）から送出された稀溶液が流過する稀溶液ライン（Ｌ１）は、第１の分岐点（ＢＰ）で、低温溶液熱交換器（２６）が介装されている第１の分岐ライン（Ｌ１−１）と、冷媒ドレン熱交換器（７０）が介装されている第２の分岐ライン（Ｌ１−２）とに分岐されており、前記冷媒ドレン熱交換器（７０）は、高温再生器（４４）で再生した冷媒蒸気が流れるライン（Ｌ１１）の低温再生器（４８）と凝縮器（５０）の間の領域（Ｌ１１−７０）が前記冷媒ドレン熱交換器（７０）と熱的に連通せしめ、以って、低温再生器（４８）を経由した後の冷媒が保有するエンタルピーを前記第２の分岐ライン（Ｌ１−２）を流れる稀溶液へ投入する様に構成されており、
前記第１の分岐ライン（Ｌ１−１）は、低温溶液熱交換器（２６）を経由した後に前記第２の分岐ライン（Ｌ１−２）とは合流せずに排熱焚再生器（３０）に連通し、排熱焚再生器（３０）で加熱された吸収溶液が流れるライン（Ｌ１−１３０）は低温再生器（４８）に連通し、低温再生器（４８）で加熱された吸収溶液が流れるライン（Ｌ６）は、高温溶液熱交換器（４２）と高温再生器（４４）の間の第１の合流点（ＧＰ）で前記第２の分岐ライン（Ｌ１−２）と合流して（Ｌ６−４４）高温再生器（４４）へ連通し、高温再生器（４４）で加熱された吸収溶液は吸収器（２２）へ戻されることを特徴とする吸収冷温水機。
【請求項１０】
吸収器（２２）と、高温再生器（４４）と、低温再生器（４８）と、排熱焚再生器（３０）と、凝縮器（５０）と、蒸発器（５２）とを有する吸収冷温水機（２０）において、吸収器（２２）から送出された稀溶液が流過する稀溶液ライン（Ｌ１）は、第１の分岐点（ＢＰ）で、低温溶液熱交換器（２６）が介装されている第１の分岐ライン（Ｌ１−１）と、冷媒ドレン熱交換器（７０）が介装されている第２の分岐ライン（Ｌ１−２）とに分岐されており、前記冷媒ドレン熱交換器（７０）は、高温再生器（４４）で再生した冷媒蒸気が流れるライン（Ｌ１１）の低温再生器（４８）と凝縮器（５０）の間の領域（Ｌ１１−７０）が前記冷媒ドレン熱交換器（７０）と熱的に連通せしめ、以って、低温再生器（４８）を経由した後の冷媒が保有するエンタルピーを前記第２の分岐ライン（Ｌ１−２）を流れる稀溶液へ投入する様に構成されており、
前記第１の分岐ライン（Ｌ１−１）は、低温溶液熱交換器（２６）を経由した後に前記第２の分岐ライン（Ｌ１−２）とは合流せずに排熱焚再生器（３０）に連通し、排熱焚再生器（３０）で加熱された吸収溶液が流れるライン（Ｌ１−１３０）は、第１の合流点（ＧＰ）で前記第２の分岐ライン（Ｌ１−２）と合流して（Ｌ１−４８）低温再生器（４８）に連通し、低温再生器（４８）で加熱された吸収溶液が流れるライン（Ｌ６）は高温再生器（４４）へ連通し、高温再生器（４４）で加熱された吸収溶液は吸収器（２２）へ戻されることを特徴とする吸収冷温水機。
【発明の詳細な説明】
【０００１】
【発明の属する技術分野】
本発明は、吸収器と、高温再生器と、低温再生器と、凝縮器と、蒸発器とを有する吸収冷温水機に関し、特に、所謂「一重二重効用」と呼ばれる吸収冷温水機に関する。
【０００２】
【従来の技術】
図２０は、所謂「シリーズフロー」タイプとして構成された従来の一重二重効用吸収冷温水機を示している。
図２０において、吸収器２２からポンプ２４により送出された稀溶液は、稀溶液ラインＬ１を流過し、低温溶液熱交換器２６を経由して排熱焚再生器３０に供給される。排熱焚再生器３０において、稀溶液に対して、排熱ラインＬ２を流れる排熱流体（例えば温排水等）が保有するエンタルピー（顕熱）が付加されて、加熱・一部再生される。
【０００３】
再生された冷媒蒸気はラインＬ１３を流れて凝縮器５０へ流入する。
一方、加熱・一部再生された後の吸収溶液はラインＬ１−４４を流れ、ポンプ３２によりヘッドを付加され、高温溶液熱交換器４２を経由して、高温再生器４４に送られる。
【０００４】
高温再生器４４においては、例えばバーナ機構４５の加熱手段により吸収溶液が加熱・濃縮され、これにより発生（再生）した冷媒蒸気（水蒸気）は蒸気ラインＬ１１を流れ、低温再生器４８を介して凝縮器５０（第１の凝縮器）に送られる。そして、低温再生器４８において、蒸気が保有するエンタルピーにより吸収溶液が再生され、ラインＬ１５を介して凝縮器５０へ送られる。
高温再生器４４で加熱・凝縮された吸収溶液（中間濃度溶液）は、中間濃度溶液ラインＬ３を流れて低温再生器４８へ流入し、低温再生器４８で加熱・再生された後、高濃度溶液ラインＬ４を流れ、低温溶液熱交換器２６を経由して、吸収器２２に戻る。
【０００５】
凝縮器５０で凝縮した液相冷媒は、ラインＬ５を流れて蒸発器５２へ供給される。蒸発器５２で冷水ライン（図示せず）を流れる冷水から気化熱を奪って蒸発した冷媒蒸気は、ラインＬ１７を流れて、吸収器２２へ流入する。
【０００６】
ここで、ラインＬ１１を流れる冷媒蒸気は、低温再生器４８で吸収溶液を加熱・再生した後においても比較的高温であり、多量の高品位なエンタルピーを保有している。しかし、図２０の従来技術では、当該多量のエンタルピーは、凝縮器５０において、図示しない冷却水ラインを流れる冷却水により廃棄されている。  このことは、吸収式冷温水機の効率を改善するという見地、或いは省エネルギという要請に反している。
【０００７】
そのため、図２１で示す様に、冷媒蒸気が流れるラインＬ１１の低温再生器４８と凝縮器５０との間の領域或いはラインＬ１１−７０に冷媒ドレン熱交換器７０を介装し、低温再生器４８を経由した後の冷媒が保有するエンタルピーを、稀溶液ラインＬ１の低温溶液熱交換器２６と排熱焚再生器３０の間の領域を流れる稀溶液に投入出来る様に構成した技術が存在する。
【０００８】
この技術によれば、低温再生器４８で吸収溶液を加熱・再生した後に冷媒が保有するエンタルピーを（ラインＬ１１−７０及び冷媒ドレン熱交換器７０により）吸収溶液（稀溶液）の昇温に利用して、バーナ機構４５に供給される高質燃料で発生したエンタルピーの有効利用、再生量の増加、吸収冷温水機の効率改善を図ることが出来るので、好都合である。
【０００９】
しかし、図２１の従来技術においても、バーナ機構４５に供給される高質燃料の利用が未だに不充分である。
図２１において、冷媒ドレン熱交換器７０は、稀溶液ラインＬ１の低温溶液熱交換器２６と排熱焚再生器３０の間の領域に介装されている。従って、低温再生器４８を加熱・再生した後の冷媒（吸収冷温水機の運転条件により、気相、液相、気液２相のいずれかの形態でラインＬ１１−７０を流れる事となる）が保有するエンタルピーは、低温溶液再生器２６で加熱された後の稀溶液に供給されることとなる。
ここで、低温溶液再生器２６で加熱された後の稀溶液の温度が例えば６０℃−７５℃であり、低温再生器４８を加熱・再生した後の冷媒の温度が例えば９０℃であるとすれば、７５℃−９０℃の温度範囲のエンタルピー（顕熱）はラインＬ１を流れる稀溶液の昇温に有効利用されるが、４０℃−７５℃の温度範囲のエンタルピー（顕熱）は有効利用されること無く、凝縮器５０で廃棄されることとなる。
そして、低温再生器４８を加熱・再生した後の冷媒が保有するエンタルピーであって、４０℃−７５℃の温度範囲のエンタルピー（顕熱）が、有効利用されること無く、凝縮器５０で廃棄されることは、高質燃料の利用効率及び吸収冷温水機の効率を向上しようという昨今の強い要請に反している。
【００１０】
図２０、図２１で示す従来技術は、所謂「シリーズフロー」タイプの吸収冷温水機を示しているが、図２２は、所謂「パラレルフロー」タイプの吸収冷温水機を示している。
しかし、図２２のパラレルフロータイプの吸収冷温水機においても、上述したのと同様な問題が存在する。
【００１１】
【発明が解決しようとする課題】
本発明は上述した従来技術の問題点に鑑みて提案されたものであり、低温再生器を経由した後の冷媒が保有するエンタルピーを有効利用して、吸収冷温水機の効率を向上することを目的としている。
【００１２】
【課題を解決するための手段】
本発明の吸収冷温水機は、吸収器（２２）と、高温再生器（４４）と、低温再生器（４８）と、排熱焚再生器（３０）と、凝縮器（５０）と、蒸発器（５２）とを有する吸収冷温水機（２０）において、吸収器（２２）から送出された稀溶液が流過する稀溶液ライン（Ｌ１）は、第１の分岐点（ＢＰ）で、低温溶液熱交換器（２６）が介装されている第１の分岐ライン（Ｌ１−１）と、冷媒ドレン熱交換器（７０）が介装されている第２の分岐ライン（Ｌ１−２）とに分岐されており、前記冷媒ドレン熱交換器（７０）は、高温再生器（４４）で再生した冷媒蒸気が流れるライン（Ｌ１１）の低温再生器（４８）と凝縮器（５０）の間の領域（Ｌ１１−７０）が前記冷媒ドレン熱交換器（７０）と熱的に連通せしめ、以って、低温再生器（４８）を経由した後の冷媒が保有するエンタルピーを前記第２の分岐ライン（Ｌ１−２）を流れる稀溶液へ投入する様に構成されており、
前記第１の分岐ライン（Ｌ１−１）は、低温溶液熱交換器（２６）を経由した後に前記第２の分岐ライン（Ｌ１−２）とは合流せずに排熱焚再生器（３０）に連通し、該排熱焚再生器（３０）から高温再生器（４４）に向かうライン（Ｌ１−１４４）は、排熱焚再生器（３０）と高温溶液熱交換器（４２）の間の第１の合流点（ＧＰ）で前記第２の分岐ライン（Ｌ１−２）と合流して高温再生器（４４）に連通し（Ｌ１−４４）、高温再生器（４４）で加熱された吸収溶液は、中間濃度溶液ライン（Ｌ３）を流れて低温再生器（４８）へ流入し、低温再生器（４８）で加熱された後に高濃度溶液ライン（Ｌ４）を流れ、低温溶液熱交換器（２６）を経由して吸収器（２２）に戻る様に構成されているのが好ましい（図１：シリーズフロータイプ）。
【００１３】
かかる構成を具備する本発明によれば、低温再生器を経由した後の冷媒（Ｌ１１−７０を流れる冷媒）が保有するエンタルピーが、前記冷媒ドレン熱交換器（７０）を介して、前記第２の分岐ライン（Ｌ１−２）を流れる稀溶液へ投入される様に構成されている。そして、前記第２の分岐ライン（Ｌ１−２）には前記冷媒ドレン熱交換器（７０）のみが介装されており、低温溶液熱交換器（２６）は介装されていない。従って、前記冷媒ドレン熱交換器（７０）を介して、低温再生器を経由した後の冷媒（Ｌ１１−７０を流れる冷媒）が保有するエンタルピーが、広い温度範囲に亘って、前記第２の分岐ライン（Ｌ１−２）を流れる稀溶液へ投入される。
【００１４】
例えば、低温溶液熱交換器（２６）で加熱された後の稀溶液（前記第１の分岐ラインＬ１−１を流れる稀溶液温度）の温度が６０℃−７５℃であり、低温再生器（４８）を加熱・再生した後の冷媒の温度が例えば９０℃であるとしても、前記第２の分岐ライン（Ｌ１−２）に流入する稀溶液温度は前記第１の分岐ライン（Ｌ１−１）を流れる稀溶液温度よりも遥かに低いので、７５℃−９０℃の温度範囲のエンタルピーは勿論、４０℃−７５℃の温度範囲のエンタルピー（顕熱）も、第２の分岐ライン（Ｌ１−２）を流れる稀溶液を昇温するのに用いられる。  すなわち、上述した本発明によれば、高温再生器（４４）に供給される高質燃料が有効に利用されると共に、吸収溶液が効率的に昇温されるので、吸収冷温水機の効率が改善されるのである。
【００１５】
本発明の吸収冷温水機は、吸収器（２２）と、高温再生器（４４）と、低温再生器（４８）と、排熱焚再生器（３０）と、凝縮器（５０）と、蒸発器（５２）とを有する吸収冷温水機（２０）において、吸収器（２２）から送出された稀溶液が流過する稀溶液ライン（Ｌ１）は、第１の分岐点（ＢＰ）で、低温溶液熱交換器（２６）が介装されている第１の分岐ライン（Ｌ１−１）と、冷媒ドレン熱交換器（７０）が介装されている第２の分岐ライン（Ｌ１−２）とに分岐されており、前記冷媒ドレン熱交換器（７０）は、高温再生器（４４）で再生した冷媒蒸気が流れるライン（Ｌ１１）の低温再生器（４８）と凝縮器（５０）の間の領域（Ｌ１１−７０）が前記冷媒ドレン熱交換器（７０）と熱的に連通せしめ、以って、低温再生器（４８）を経由した後の冷媒が保有するエンタルピーを前記第２の分岐ライン（Ｌ１−２）を流れる稀溶液へ投入する様に構成されており、
前記第１の分岐ライン（Ｌ１−１）は、低温溶液熱交換器（２６）を経由した後に前記第２の分岐ライン（Ｌ１−２）とは合流せずに排熱焚再生器（３０）に連通し、該排熱焚再生器（３０）から高温再生器（４４）に向かうライン（Ｌ１−１４４）は、高温溶液熱交換器（４２）と高温再生器（４４）の間の第１の合流点（ＧＰ）で前記第２の分岐ライン（Ｌ１−２）と合流して高温再生器（４４）に連通し、高温再生器（４４）で加熱された吸収溶液は中間濃度溶液ライン（Ｌ３）を流れて低温再生器（４８）へ流入し、低温再生器（４８）で加熱された後に高濃度溶液ライン（Ｌ４）を流れ、低温溶液熱交換器（２６）を経由して吸収器（２２）に戻る様に構成されている（図２：シリーズフロータイプ）。
【００１６】
本発明の吸収冷温水機は、吸収器（２２）と、高温再生器（４４）と、低温再生器（４８）と、排熱焚再生器（３０）と、凝縮器（５０）と、蒸発器（５２）とを有する吸収冷温水機（２０）において、吸収器（２２）から送出された稀溶液が流過する稀溶液ライン（Ｌ１）は、第１の分岐点（ＢＰ）で、低温溶液熱交換器（２６）が介装されている第１の分岐ライン（Ｌ１−１）と、冷媒ドレン熱交換器（７０）が介装されている第２の分岐ライン（Ｌ１−２）とに分岐されており、前記冷媒ドレン熱交換器（７０）は、高温再生器（４４）で再生した冷媒蒸気が流れるライン（Ｌ１１）の低温再生器（４８）と凝縮器（５０）の間の領域（Ｌ１１−７０）が前記冷媒ドレン熱交換器（７０）と熱的に連通せしめ、以って、低温再生器（４８）を経由した後の冷媒が保有するエンタルピーを前記第２の分岐ライン（Ｌ１−２）を流れる稀溶液へ投入する様に構成されており、
前記第１の分岐ライン（Ｌ１−１）は、低温溶液熱交換器（２６）を経由した後に前記第２の分岐ライン（Ｌ１−２）とは合流せずに、第２の分岐点（Ｐ１）で高温再生器（４４）に連通するライン（Ｌ１−１１）と排熱焚再生器（３０）に連通するライン（Ｌ１−１２）に分岐し、高温再生器（４４）に連通するライン（Ｌ１−１１）は第２の分岐点（Ｐ１）と高温溶液熱交換器（４２）の間の第１の合流点（ＧＰ）で前記第２の分岐ライン（Ｌ１−２）と合流して（Ｌ１−４４）高温再生器（４４）へ連通し、排熱焚再生器（３０）に連通するライン（Ｌ１−１２）を流れる稀溶液は排熱焚再生器（３０）で加熱されて低温再生器（４８）に流入し、低温再生器（４８）で加熱された吸収溶液が流れるライン（Ｌ１−１２２）は高温再生器（４４）からの溶液ライン（Ｌ３）と第２の合流点（Ｐ２）で合流し、低温溶液熱交換器（２６）を経由して吸収器（２２）へ連通することを特徴としている（図３：パラレルフロータイプ）。
【００１７】
本発明の吸収冷温水機は、吸収器（２２）と、高温再生器（４４）と、低温再生器（４８）と、排熱焚再生器（３０）と、凝縮器（５０）と、蒸発器（５２）とを有する吸収冷温水機（２０）において、吸収器（２２）から送出された稀溶液が流過する稀溶液ライン（Ｌ１）は、第１の分岐点（ＢＰ）で、低温溶液熱交換器（２６）が介装されている第１の分岐ライン（Ｌ１−１）と、冷媒ドレン熱交換器（７０）が介装されている第２の分岐ライン（Ｌ１−２）とに分岐されており、前記冷媒ドレン熱交換器（７０）は、高温再生器（４４）で再生した冷媒蒸気が流れるライン（Ｌ１１）の低温再生器（４８）と凝縮器（５０）の間の領域（Ｌ１１−７０）が前記冷媒ドレン熱交換器（７０）と熱的に連通せしめ、以って、低温再生器（４８）を経由した後の冷媒が保有するエンタルピーを前記第２の分岐ライン（Ｌ１−２）を流れる稀溶液へ投入する様に構成されており、
前記第１の分岐ライン（Ｌ１−１）は、低温溶液熱交換器（２６）を経由した後に前記第２の分岐ライン（Ｌ１−２）とは合流せずに、第２の分岐点（Ｐ１）で高温再生器（４４）に連通するライン（Ｌ１−１１）と排熱焚再生器（３０）に連通するライン（Ｌ１−１２）に分岐し、高温再生器（４４）に連通するライン（Ｌ１−１１）は高温溶液熱交換器（４２）と高温再生器（４４）の間の第１の合流点（ＧＰ）で前記第２の分岐ライン（Ｌ１−２）と合流して高温再生器（４４）へ連通し、排熱焚再生器（３０）に連通するライン（Ｌ１−１２）を流れる稀溶液は排熱焚再生器（３０）で加熱されて低温再生器（４８）に流入し、低温再生器（４８）で加熱された吸収溶液が流れるライン（Ｌ１−１２２）は高温再生器（４４）からの溶液ライン（Ｌ３）と第２の合流点（Ｐ２）で合流し、低温溶液熱交換器（２６）を経由して吸収器（２２）へ連通することを特徴としている（図４：パラレルフロータイプ）。
【００１８】
本発明の吸収冷温水機は、吸収器（２２）と、高温再生器（４４）と、低温再生器（４８）と、排熱焚再生器（３０）と、凝縮器（５０）と、蒸発器（５２）とを有する吸収冷温水機（２０）において、吸収器（２２）から送出された稀溶液が流過する稀溶液ライン（Ｌ１）は、第１の分岐点（ＢＰ）で、低温溶液熱交換器（２６）が介装されている第１の分岐ライン（Ｌ１−１）と、冷媒ドレン熱交換器（７０）が介装されている第２の分岐ライン（Ｌ１−２）とに分岐されており、前記冷媒ドレン熱交換器（７０）は、高温再生器（４４）で再生した冷媒蒸気が流れるライン（Ｌ１１）の低温再生器（４８）と凝縮器（５０）の間の領域（Ｌ１１−７０）が前記冷媒ドレン熱交換器（７０）と熱的に連通せしめ、以って、低温再生器（４８）を経由した後の冷媒が保有するエンタルピーを前記第２の分岐ライン（Ｌ１−２）を流れる稀溶液へ投入する様に構成されており、
前記第１の分岐ライン（Ｌ１−１）は、低温溶液熱交換器（２６）を経由した後に前記第２の分岐ライン（Ｌ１−２）とは合流せずに排熱焚再生器（３０）に連通し、排熱焚再生器（３０）で加熱された吸収溶液が流れるライン（Ｌ１−３１）は、第２の分岐点（Ｐ１）で高温再生器（４４）に連通するライン（Ｌ１−４４）と低温再生器（４８）に連通するライン（Ｌ１−４８）に分岐し、高温再生器（４４）に連通するライン（Ｌ１−４４）を流れる稀溶液は高温溶液熱交換器（４２）を経由して高温再生器（４４）へ流入し、低温再生器（４８）に連通するライン（Ｌ１−４８）は第１の合流点（ＧＰ）で前記第２の分岐ライン（Ｌ１−２）と合流し、該ライン（合流後のＬ１−２）を流れる稀溶液は低温再生器（４８）に流入して加熱され、低温再生器（４８）で加熱された吸収溶液が流れるライン（Ｌ１−５１）は、高温再生器（４４）からの溶液ライン（Ｌ３）と第２の合流点（Ｐ２）で合流し（Ｌ４）、低温溶液熱交換器（２６）を経由して吸収器（２２）へ連通することを特徴としている（図５：パラレルフロータイプ）。
【００１９】
本発明の吸収冷温水機は、吸収器（２２）と、高温再生器（４４）と、低温再生器（４８）と、排熱焚再生器（３０）と、凝縮器（５０）と、蒸発器（５２）とを有する吸収冷温水機（２０）において、吸収器（２２）から送出された稀溶液が流過する稀溶液ライン（Ｌ１）は、第１の分岐点（ＢＰ）で、低温溶液熱交換器（２６）が介装されている第１の分岐ライン（Ｌ１−１）と、冷媒ドレン熱交換器（７０）が介装されている第２の分岐ライン（Ｌ１−２）とに分岐されており、前記冷媒ドレン熱交換器（７０）は、高温再生器（４４）で再生した冷媒蒸気が流れるライン（Ｌ１１）の低温再生器（４８）と凝縮器（５０）の間の領域（Ｌ１１−７０）が前記冷媒ドレン熱交換器（７０）と熱的に連通せしめ、以って、低温再生器（４８）を経由した後の冷媒が保有するエンタルピーを前記第２の分岐ライン（Ｌ１−２）を流れる稀溶液へ投入する様に構成されており、
前記第１の分岐ライン（Ｌ１−１）は、低温溶液熱交換器（２６）を経由した後に前記第２の分岐ライン（Ｌ１−２）とは合流せずに排熱焚再生器（３０）に連通し、排熱焚再生器（３０）で加熱された吸収溶液が流れるライン（Ｌ１−３１）は、第２の分岐点（Ｐ１）で高温再生器（４４）に連通するライン（Ｌ１−４４）と低温再生器（４８）に連通するライン（Ｌ１−４８）に分岐し、高温再生器（４４）に連通するライン（Ｌ１−４４）は、第２の分岐点（Ｐ１）と高温溶液熱交換器（４２）の間の第１の合流点（ＧＰ）で前記第２の分岐ライン（Ｌ１−２）と合流して高温再生器（４４）へ連通し、低温再生器（４８）に連通するライン（Ｌ１−４８）を流れる稀溶液は低温再生器（４８）に流入して加熱され、低温再生器（４８）で加熱された吸収溶液が流れるライン（Ｌ１−４９）は、高温再生器（４４）からの溶液ライン（Ｌ３）と第２の合流点（Ｐ２）で合流し、低温溶液熱交換器を経由して吸収器へ連通することを特徴としている（図６：パラレルフロータイプ）。
【００２０】
本発明の吸収冷温水機は、吸収器（２２）と、高温再生器（４４）と、低温再生器（４８）と、排熱焚再生器（３０）と、凝縮器（５０）と、蒸発器（５２）とを有する吸収冷温水機（２０）において、吸収器（２２）から送出された稀溶液が流過する稀溶液ライン（Ｌ１）は、第１の分岐点（ＢＰ）で、低温溶液熱交換器（２６）が介装されている第１の分岐ライン（Ｌ１−１）と、冷媒ドレン熱交換器（７０）が介装されている第２の分岐ライン（Ｌ１−２）とに分岐されており、前記冷媒ドレン熱交換器（７０）は、高温再生器（４４）で再生した冷媒蒸気が流れるライン（Ｌ１１）の低温再生器（４８）と凝縮器（５０）の間の領域（Ｌ１１−７０）が前記冷媒ドレン熱交換器（７０）と熱的に連通せしめ、以って、低温再生器（４８）を経由した後の冷媒が保有するエンタルピーを前記第２の分岐ライン（Ｌ１−２）を流れる稀溶液へ投入する様に構成されており、
前記第１の分岐ライン（Ｌ１−１）は、低温溶液熱交換器（２６）を経由した後に前記第２の分岐ライン（Ｌ１−２）とは合流せずに排熱焚再生器（３０）に連通し、排熱焚再生器（３０）で加熱された吸収溶液が流れるライン（Ｌ１−３１）は、第２の分岐点（Ｐ１）で高温再生器（４４）に連通するライン（Ｌ１−４４）と低温再生器（４８）に連通するライン（Ｌ１−４８）に分岐し、高温再生器（４４）に連通するライン（Ｌ１−４４）は、高温溶液熱交換器（４２）と高温再生器（４４）の間の第１の合流点（ＧＰ）で前記第２の分岐ライン（Ｌ１−２）と合流して（Ｌ１−４６）高温再生器（４４）へ連通し、低温再生器（４８）に連通するライン（Ｌ１−４８）を流れる稀溶液は低温再生器（４８）に流入して加熱され、低温再生器（４８）で加熱された吸収溶液が流れるライン（Ｌ１−４９）は、高温再生器（４４）からの溶液ライン（Ｌ３）と第２の合流点（Ｐ２）で合流し、低温溶液熱交換器を経由して吸収器へ連通することを特徴としている（図７：パラレルフロータイプ）。
【００２１】。
本発明の吸収冷温水機は、吸収器（２２）と、高温再生器（４４）と、低温再生器（４８）と、排熱焚再生器（３０）と、凝縮器（５０）と、蒸発器（５２）とを有する吸収冷温水機（２０）において、吸収器（２２）から送出された稀溶液が流過する稀溶液ライン（Ｌ１）は、第１の分岐点（ＢＰ）で、低温溶液熱交換器（２６）が介装されている第１の分岐ライン（Ｌ１−１）と、冷媒ドレン熱交換器（７０）が介装されている第２の分岐ライン（Ｌ１−２）とに分岐されており、前記冷媒ドレン熱交換器（７０）は、高温再生器（４４）で再生した冷媒蒸気が流れるライン（Ｌ１１）の低温再生器（４８）と凝縮器（５０）の間の領域（Ｌ１１−７０）が前記冷媒ドレン熱交換器（７０）と熱的に連通せしめ、以って、低温再生器（４８）を経由した後の冷媒が保有するエンタルピーを前記第２の分岐ライン（Ｌ１−２）を流れる稀溶液へ投入する様に構成されており、
前記第１の分岐ライン（Ｌ１−１）は、低温溶液熱交換器（２６）を経由した後に前記第２の分岐ライン（Ｌ１−２）とは合流せずに排熱焚再生器（３０）に連通し、排熱焚再生器（３０）で加熱された吸収溶液が流れるライン（Ｌ１−１３０）は低温再生器（４８）に連通し、低温再生器（４８）で加熱された吸収溶液が流れるライン（Ｌ６）は、低温再生器（４８）と高温溶液熱交換器（４２）の間の第１の合流点（ＧＰ）で前記第２の分岐ライン（Ｌ１−２）と合流して高温再生器（４４）へ連通し、高温再生器（４４）で加熱された吸収溶液は吸収器（２２）へ戻されることを特徴としている（図８：リバースフロータイプ）。
【００２２】
本発明の吸収冷温水機は、吸収器（２２）と、高温再生器（４４）と、低温再生器（４８）と、排熱焚再生器（３０）と、凝縮器（５０）と、蒸発器（５２）とを有する吸収冷温水機（２０）において、吸収器（２２）から送出された稀溶液が流過する稀溶液ライン（Ｌ１）は、第１の分岐点（ＢＰ）で、低温溶液熱交換器（２６）が介装されている第１の分岐ライン（Ｌ１−１）と、冷媒ドレン熱交換器（７０）が介装されている第２の分岐ライン（Ｌ１−２）とに分岐されており、前記冷媒ドレン熱交換器（７０）は、高温再生器（４４）で再生した冷媒蒸気が流れるライン（Ｌ１１）の低温再生器（４８）と凝縮器（５０）の間の領域（Ｌ１１−７０）が前記冷媒ドレン熱交換器（７０）と熱的に連通せしめ、以って、低温再生器（４８）を経由した後の冷媒が保有するエンタルピーを前記第２の分岐ライン（Ｌ１−２）を流れる稀溶液へ投入する様に構成されており、
前記第１の分岐ライン（Ｌ１−１）は、低温溶液熱交換器（２６）を経由した後に前記第２の分岐ライン（Ｌ１−２）とは合流せずに排熱焚再生器（３０）に連通し、排熱焚再生器（３０）で加熱された吸収溶液が流れるライン（Ｌ１−１３０）は低温再生器（４８）に連通し、低温再生器（４８）で加熱された吸収溶液が流れるライン（Ｌ６）は、高温溶液熱交換器（４２）と高温再生器（４４）の間の第１の合流点（ＧＰ）で前記第２の分岐ライン（Ｌ１−２）と合流して（Ｌ６−４４）高温再生器（４４）へ連通し、高温再生器（４４）で加熱された吸収溶液は吸収器（２２）へ戻されることを特徴としている（図９：リバースフロータイプ）。
【００２３】
本発明の吸収冷温水機は、吸収器（２２）と、高温再生器（４４）と、低温再生器（４８）と、排熱焚再生器（３０）と、凝縮器（５０）と、蒸発器（５２）とを有する吸収冷温水機（２０）において、吸収器（２２）から送出された稀溶液が流過する稀溶液ライン（Ｌ１）は、第１の分岐点（ＢＰ）で、低温溶液熱交換器（２６）が介装されている第１の分岐ライン（Ｌ１−１）と、冷媒ドレン熱交換器（７０）が介装されている第２の分岐ライン（Ｌ１−２）とに分岐されており、前記冷媒ドレン熱交換器（７０）は、高温再生器（４４）で再生した冷媒蒸気が流れるライン（Ｌ１１）の低温再生器（４８）と凝縮器（５０）の間の領域（Ｌ１１−７０）が前記冷媒ドレン熱交換器（７０）と熱的に連通せしめ、以って、低温再生器（４８）を経由した後の冷媒が保有するエンタルピーを前記第２の分岐ライン（Ｌ１−２）を流れる稀溶液へ投入する様に構成されており、
前記第１の分岐ライン（Ｌ１−１）は、低温溶液熱交換器（２６）を経由した後に前記第２の分岐ライン（Ｌ１−２）とは合流せずに排熱焚再生器（３０）に連通し、排熱焚再生器（３０）で加熱された吸収溶液が流れるライン（Ｌ１−１３０）は、第１の合流点（ＧＰ）で前記第２の分岐ライン（Ｌ１−２）と合流して（Ｌ１−４８）低温再生器（４８）に連通し、低温再生器（４８）で加熱された吸収溶液が流れるライン（Ｌ６）は高温再生器（４４）へ連通し、高温再生器（４４）で加熱された吸収溶液は吸収器（２２）へ戻されることを特徴としている（図１０：リバースフロータイプ）。
【００２４】
【発明の実施の形態】
以下、本発明に係る図１−図１０を参照し、参考例を示す図１１−１９を参照しながら本発明の実施の形態について説明する。なお、図示の実施形態において、上述したのと同様な部材については、同様な符号が付されている。
【００２５】
図１の第１の実施形態と関係する図１１の参考例について説明する。図１１中、全体を符号２０で示す本発明の吸収式冷温水機は、所謂「シリーズフロー」タイプとして構成されている。
図１１において、吸収器２２からポンプ２４により送出された稀溶液は、稀溶液ラインＬ１を流過し、分岐点ＢＰ（第１の分岐点）において、ラインＬ１−１（第１の分岐ライン）とラインＬ１−２（第１の分岐ライン）に分岐する。ラインＬ１−１には低温溶液熱交換器２６が介装されており、ラインＬ１−２には冷媒ドレン熱交換器７０が介装されている。
【００２６】
ラインＬ１−１を流れる稀溶液には、溶液ラインＬ４を流れる吸収溶液（高濃度溶液）が保有するエンタルピーが、低温溶液熱交換器２６を介して投入される。そして、ラインＬ１−２を流れる稀溶液には、冷媒ラインＬ１１の領域Ｌ１１−７０を流れる冷媒（吸収冷温水機の運転条件により、気相、液相、気液２相となる）が保有するエンタルピーが、冷媒ドレン熱交換器７０を介して投入される。
【００２７】
ラインＬ１−１とラインＬ１−２とは、低温溶液熱交換器２６或いは冷媒ドレン熱交換器７０を経由してから、その近傍に設けられた合流点ＧＰ（第１の合流点）で合流して、ラインＬ１−３０となる。このラインＬ１−３０は、排熱焚再生器３０に連通している。
排熱焚再生器３０には、ラインＬ２を流れる排熱流体（例えば温排水）が供給されている。ラインＬ２を流れる排熱流体は、その保有するエンタルピーを排熱焚再生器３０内の吸収溶液に対して投入し、当該吸収溶液を加熱・一部再生せしめる。そして、再生した冷媒蒸気は蒸気ラインＬ１３を介して凝縮器５０に流入する。
【００２８】
排熱焚再生器３０で加熱・一部再生された後の吸収溶液は、ポンプ３２によりヘッドが付加される。
ポンプ３２によりヘッドが付加された溶液は、高温溶液熱交換器４２を介して高温再生器４４に送られる。
高温再生器４４において、吸収溶液はバーナ機構４５により加熱・濃縮され、冷媒蒸気（水蒸気）が再生される。
【００２９】
高温再生器４４で加熱・凝縮された吸収溶液（中間濃度溶液）は、中間濃度溶液ラインＬ３を流れて低温再生器４８へ流入する。この溶液が保有するエンタルピーは、高温溶液熱交換器４２により、稀溶液ラインＬ１を流れる吸収溶液に投入される。そして、低温再生器４８で加熱・再生された後の吸収溶液（高濃度溶液）は、高濃度溶液ラインＬ４を流れ、低温溶液熱交換器２６を経由して、吸収器２２に戻される。
【００３０】
一方、高温再生器４４で再生した冷媒蒸気（水蒸気：気相冷媒）は蒸気ラインＬ１１を流れ、低温再生器４８において冷媒蒸気が保有するエンタルピーを吸収溶液に供給して、低温再生器４８内の吸収溶液を再生する。そして高温再生器４４で再生した冷媒蒸気は、低温再生器４８を出た後に、気相冷媒、液相冷媒、気液２相流のいずれかの形態でライン（或いは領域）Ｌ１１−７０を流過する。
このラインＬ１１−７０は、冷媒ドレン熱交換器７０を介して凝縮器５０に連通している。そして上述した通り、ラインＬ１１−７０を流れる冷媒が保有するエンタルピーは、冷媒ドレン熱交換器７０を介して、稀溶液ラインＬ１−２を流れる稀溶液に供給される。
【００３１】
ここで、ラインＬ１−２を流れる稀溶液は、図２１で示す従来技術とは異なり、低温溶液熱交換器２６で熱を投入されてはいないので、従来技術においては廃棄されていた領域のエンタルピー、例えばラインＬ１１−７０を流れる冷媒における４０℃−７５℃の領域のエンタルピー（顕熱）が、ラインＬ１−２を流れる稀溶液に対して供給される。すなわち、高温再生器４４のバーナ機構４５により付加されたエンタルピーが、有効利用されるのである。
【００３２】
図１１において、ラインＬ５は凝縮器５０で凝縮した液相冷媒を蒸発器５２へ供給するための液相冷媒ラインである。また、ラインＬ１７は、蒸発器５２で冷水ライン（図示せず：図示しない冷房負荷に連通している）を流れる冷水から気化熱を奪って蒸発した冷媒蒸気が流れる冷媒蒸気ラインであり、吸収器２２へ連通している。
【００３３】
図１１の参考例によれば、稀溶液ラインＬ１を流れる稀溶液は、低温溶液熱交換器２６及び高温溶液熱交換器４４のみならず、排熱焚再生器３０によっても加熱されるので、効率が良い。
【００３４】
また、ラインＬ１１−７０を流れる冷媒が保有するエンタルピーは、広い温度範囲に亘って（例えば４０℃−９０℃の温度範囲）、ラインＬ１−２を流れる稀溶液に対して投入される。そのため、高温再生器４４のバーナ機構４５で消費される高質燃料によって投与されたエンタルピーが、無駄に廃棄されること無く、冷媒蒸気発生のために有効利用される。 そのため、吸収冷温水機２０全体の効率が向上する。
【００３５】
本発明の第１実施形態について説明する。図１は本発明の第１実施形態にかかる吸収冷温水機を示しており、この第１実施形態も、「シリーズフロータイプ」の吸収冷温水機にかかるものである。
【００３６】
参考例の図１１で示す吸収冷温水機においては、ラインＬ１−１とラインＬ１−２とは、低温溶液熱交換器２６或いは冷媒ドレン熱交換器７０を経由してから、その近傍に設けられた合流点ＧＰで合流している。
これに対して、図１の実施形態では、分岐点ＢＰで分岐した稀溶液ラインＬ１−１は、低温溶液熱交換器２６を経由した後、直ちに合流すること無く、排熱焚再生器３０に連通する。そして、排熱ラインＬ２から投入されるエンタルピーにより排熱焚再生器３０内で加熱され、一部再生された後、ラインＬ１−１４４を流れ、ポンプ３２によりヘッドを負荷される。それから、分岐した他方のラインＬ１−２と合流点ＧＰで合流する。
ラインＬ１−２とラインＬ１−１４４は合流点ＧＰで合流した後、ラインＬ１−４４となり、高温溶液熱交換器４２を経由して高温再生器４４に連通する。
【００３７】
図１の実施形態のその他の構成及び作用効果については、図１１の参考例と同様である。
【００３８】
図２は本発明の第２実施形態にかかる吸収冷温水機を示しており、この第２実施形態も、「シリーズフロータイプ」の吸収冷温水機にかかるものである。
【００３９】
この実施形態においても、分岐点ＢＰで分岐した稀溶液ラインＬ１−１は、低温溶液熱交換器２６を経由した後に直ちに合流せず、排熱焚再生器３０に連通する。稀溶液ラインＬ１−１を介して排熱焚再生器３０に供給された稀溶液は、排熱ラインＬ２から投入されるエンタルピーにより加熱され、一部再生された後、ラインＬ１−１４４を流れ、ポンプ３２によりヘッドを負荷され、高温溶液熱交換器４２を経由する。
それから、分岐した他方のラインＬ１−２と合流点ＧＰで合流する。
ラインＬ１−２とラインＬ１−１４４は合流点ＧＰで合流した後、ラインＬ１−４４となり、高温再生器４４に連通する。
【００４０】
図２の実施形態におけるその他の構成及び作用効果は、図１の実施形態、図１１の参考例と同様である。
【００４１】
図１−図２、図１１は、所謂「シリーズフロー」タイプの吸収冷温水機について本発明を適用した実施形態および参考例である。これに対して、図８−図１０、図１５−図１７は、所謂「パラレルフロー」タイプの吸収冷温水機について本発明を適用した実施形態および参考例である。
次に、図３の第３の実施形態と関係する図１２，１３の参考例について説明する。
【００４２】
図１２は第２の参考例を示している。
吸収器２２から出た稀溶液は、ポンプ２４によりヘッドを付加されて稀溶液ラインＬ１を流れ、第１の分岐点ＢＰにおいて、ラインＬ１−１とラインＬ１−２に分岐する。ここで、ラインＬ１−１には低温溶液熱交換器２６が介装されており、ラインＬ１−２には冷媒ドレン熱交換器７０が介装されている。
ラインＬ１−１とラインＬ１−２とは、低温溶液熱交換器２６或いは冷媒ドレン熱交換器７０を経由してから、その近傍に設けられた第１の合流点ＧＰで合流してラインＬ１−Ｐ１となる。このラインＬ１−Ｐ１は、第２の分岐点Ｐ１において、高温再生器４４に連通するラインＬ１−３と、排熱焚再生器３０に連通するラインＬ１−４とに分岐する。
【００４３】
ラインＬ１−３を流れる稀溶液は、高温溶液熱交換器４２を介して高温再生器４４へ流入し、バーナ機構４５により加熱・濃縮された後、溶液ラインＬ３を流れる。
高温再生器４４で再生した冷媒蒸気は、低温再生器４８に連通するラインＬ１１を流れ、低温再生器４８内の吸収溶液に保有するエンタルピーを供給して冷媒を再生した後、ラインＬ１１−７０を流れ、冷媒ドレン熱交換器７０を介してラインＬ１−２内の稀溶液にエンタルピーを供給し、凝縮器５０へ送られる。
【００４４】
ラインＬ１−４を流れる稀溶液は、排熱焚再生器３０において、排熱ラインＬ２を流れる排熱流体が保有するエンタルピーが投入され、加熱・再生・濃縮される。そして、排熱焚再生器３０で再生された冷媒蒸気は、ラインＬ１３を介して凝縮器５０に供給され、再生・濃縮後の吸収溶液は、溶液ラインＬ１−４１を流れて、低温再生器４８に流入する。
【００４５】
低温再生器４８で加熱・再生・濃縮された吸収溶液は溶液ラインＬ１−４２を流れ、溶液ラインＬ１−４２は、第２の合流点Ｐ２において、高温再生器４４からの溶液ラインＬ３と合流して溶液ラインＬ４となり、吸収器２２へ戻る。
【００４６】
この参考例においても、図１１の参考例で説明したのと同様に、ラインＬ１１−７０を流れる冷媒が保有するエンタルピーが、広い温度範囲に亘って、冷媒ドレン熱交換器７０を介して、稀溶液ラインＬ１−２内を流れる稀溶液に供給され、高温再生器４４（のバーナ機構４５）において付与されたエンタルピーが、冷媒蒸気発生のために有効に利用される。
また、排熱焚再生器３０で冷媒蒸気が発生すると共に、低温再生器４８の流入する吸収溶液の温度が上昇し、低温再生器４８における再生蒸気量も増加する。  また、排熱流体が保有するエンタルピーが、高温再生器４４及び排熱焚再生器３０における再生で利用されるので、排熱流体の保有するエンタルピーの利用効率も向上する。  その結果、及び吸収冷温水機全体の効率が上昇する。
図１２の参考例の他の構成及び作用効果については、図１−図２の実施形態と同様である。
【００４７】
図１３は、本発明の第３の参考例にかかる吸収冷温水機を示す。
図１２で示す参考例では、第１の分岐点ＢＰで分岐した２本のラインＬ１−１とＬ１−２は、低温溶液熱交換器２６或いは冷媒ドレン熱交換器７０を経由してから直ちに、その近傍に設けられた第１の合流点ＧＰで合流している。
【００４８】
これに対して、図１３の参考例では、第１の分岐点ＢＰで分岐した稀溶液ラインＬ１−１は、低温溶液熱交換器２６を経由した後、直ちに合流すること無く、第２の分岐点Ｐ１で、高温再生器４４に連通するラインＬ１−３と、ラインＬ１−４とに分岐する。そしてラインＬ１−４において、第１の合流点ＧＰで他方の分岐ラインＬ１−２と合流して、排熱焚再生器３０に連通するのである。
換言すれば、図１３の参考例では、第１の合流点ＧＰは、第２の分岐点Ｐ１と排熱焚再生器３０との間の領域に設けられている。
【００４９】
図１３の参考例のその他の構成は図１２で示す参考例と同様である。また、図１３の参考例の作用効果については、図１−２で示す実施形態、図１１−図１２で示す参考例と同様である。
【００５０】
図３は本発明の第３実施形態を示している。
図３においても、分岐ラインＬ１−１は低温溶液熱交換器２６を経由した後に、他方の分岐ラインＬ１−２と直ちに合流するのではない。
【００５１】
図３において、ラインＬ１−１は低温溶液熱交換器２６を経由した後に、第２の分岐点Ｐ１で、高温再生器４４側に向かうラインＬ１−１１と、排熱焚再生器３０に連通するラインＬ１−１２とに分岐する。
そして、ラインＬ１−１１は、第１の合流点ＧＰで分岐ラインＬ１−２と合流してラインＬ１−４４となり、高温再生器４４へ連通する。
【００５２】
一方、ラインＬ１−１２は排熱焚再生器３０に連通し、排熱焚再生器３０で加熱・一部再生された吸収溶液はラインＬ１−１２１を介して低温再生器４８に供給される。そして、低温再生器４８で加熱・一部再生された吸収溶液はラインＬ１−１２２を流れ、該ラインＬ１−１２２は第２の合流点ＰでラインＬ３と合流してラインＬ４となり、吸収器２２に戻る。
【００５３】
図３の実施形態のその他の構成は図１２、図１３で示す参考例と同様である。また、図３の実施形態の作用効果については、図２−３で示す実施形態、図１１−１３で示す参考例と同様である。
【００５４】
図４は本発明の第４実施形態を示している。
図４においても、分岐ラインＬ１−１は低温溶液熱交換器２６を経由した後に、他方の分岐ラインＬ１−２と直ちに合流するのではない。
【００５５】
図４においても、ラインＬ１−１は低温溶液熱交換器２６を経由した後に、第２の分岐点Ｐ１で、高温再生器４４側に向かうラインＬ１−１１と、排熱焚再生器３０に連通するラインＬ１−１２とに分岐する。
そしてラインＬ１−１１は高温溶液熱交換器４２を経由し、第１の合流点ＧＰで分岐ラインＬ１−２と合流してラインＬ１−４４となり、高温再生器４４へ連通する。
【００５６】
図４の実施形態のその他の構成は図３で示す実施形態、図１２−１３で示す参考例と同様である。また、図４の実施形態の作用効果については、図１−３で示す実施形態、図１１−図１３で示す参考例と同様である。
【００５７】
図１４は本発明の第４参考例を示している。
図１４において、分岐ラインＬ１−１は低温溶液熱交換器２６を経由した後、他方の分岐ラインＬ１−２は冷媒ドレン熱交換器７０を経由した後、図１２の実施形態と同様に、第１の合流点ＧＰで直ちに合流している。
図１２の参考例においては、第１の合流点ＧＰで合流したラインＬ１−Ｐ１が第２の分岐点Ｐ１で分岐して、一方のラインＬ１−４が排熱焚再生器３０に連通している。
【００５８】
これに対して図１４では、第１の合流点ＧＰで合流したラインＬ１−３０は、分岐すること無くそのまま排熱焚再生器３０に連通し、排熱ラインＬ２により加熱・一部再生された吸収溶液はラインＬ１−３１を流れる。
そして、このラインＬ１−３１が第２の分岐点Ｐ１で、高温再生器４４に連通するラインＬ１−４４と、低温再生器４８に連通するラインＬ１−４８とに分岐している。
【００５９】
ラインＬ１−４８を流れる吸収溶液は、低温再生器４８で加熱・一部再生されてラインＬ１−４９を流れ、該ラインＬ１−４９は第２の合流点Ｐ２で（高温再生器４４で加熱・濃縮された吸収溶液が流れる）ラインＬ３と合流する。
【００６０】
図１４の参考例のその他の構成は図３−図４で示す実施形態、図１３−図１４で示す参考例と同様である。また、図１４の実施形態の作用効果については、図１−図４で示す実施形態、図１２−１３で示す参考例と同様である。
【００６１】
図５は本発明の第５実施形態を示している。
図５においては、分岐ラインＬ１−１は低温溶液熱交換器２６を経由した後に、他方の分岐ラインＬ１−２と直ちに合流していない。
【００６２】
図５において、ラインＬ１−１は低温溶液熱交換器２６を経由した後に、排熱焚再生器３０に連通する。そして、排熱焚再生器３０で加熱・一部再生された吸収溶液はラインＬ１−３１を流れ、該ラインＬ１−３１は、第２の分岐点Ｐ１で、高温再生器４４側に向かうラインＬ１−４４と、低温再生器４８側へ向かうラインＬ１−４８とに分岐する。
【００６３】
ここでラインＬ１−４８は、第１の合流点ＧＰで分岐ラインＬ１−２と合流してラインＬ１−４９となり、低温再生器４８へ連通する。
低温再生器４８で加熱・一部再生された吸収溶液はラインＬ１−５１を流れ、該ラインＬ１−５１は第２の合流点Ｐ１でラインＬ３と合流して、ラインＬ４となる。
【００６４】
図５の実施形態のその他の構成は図１４で示す参考例と同様である。また、図５の実施形態の作用効果については、図１−図４で示す実施形態、図１１−図１４で示す参考例と同様である。
【００６５】
図６は本発明の第６実施形態を示している。
図６においても、分岐ラインＬ１−１は低温溶液熱交換器２６を経由した後に、他方の分岐ラインＬ１−２と直ちに合流していない。
【００６６】
図６においても、ラインＬ１−１は低温溶液熱交換器２６を経由した後に排熱焚再生器３０に連通し、排熱焚再生器３０で加熱・一部再生された吸収溶液はラインＬ１−３１を流れ、該ラインＬ１−３１は、第２の分岐点Ｐ１で、高温再生器４４側に向かうラインＬ１−４４と、低温再生器４８側へ向かうラインＬ１−４８とに分岐する。
【００６７】
図６の実施形態では、高温再生器４４側に向かうラインＬ１−４４が、第１の合流点ＧＰで分岐ラインＬ１−２と合流してラインＬ１−４６となり、該ラインＬ１−４６は高温溶液熱交換器４２を経由して高温再生器４４へ連通する。
【００６８】
一方、ラインＬ１−４８を介して低温再生器４８に供給され、加熱・一部再生された吸収溶液はラインＬ１−４９を流れ、第２の合流点Ｐ１でラインＬ３と合流して、ラインＬ４となる。
【００６９】
図６の実施形態のその他の構成は図５で示す実施形態と同様である。また、図６の実施形態の作用効果については、図１−図５で示す実施形態、図１１−図１４で示す参考例と同様である。
【００７０】
図７は本発明の第７実施形態を示している。
図６の実施形態において、ラインＬ１−１を流れる吸収溶液は、低温溶液熱交換器２６、排熱焚再生器３０、ラインＬ１−３１、第２の分岐点Ｐ１を介して高温再生器４４側に向かうラインＬ１−４４を流れ、該ラインＬ１−４４は、第１の合流点ＧＰで分岐ラインＬ１−２と合流してラインＬ１−４６となり、高温再生器４４へ連通している。
【００７１】
それに対して、図７の実施形態では、高温再生器４４側に向かうラインＬ１−４４は、高温溶液熱交換器４２を経由した後に第１の合流点ＧＰで分岐ラインＬ１−２と合流し、ラインＬ１−４６となって高温再生器４４に連通している。
【００７２】
図７の実施形態のその他の構成は図６で示す実施形態と同様である。また、図７の実施形態の作用効果については、図１−図６で示す実施形態、図１１−図１４で示す参考例と同様である。
【００７３】
図８−図１０は、本発明を所謂「リバースフロー」タイプの吸収冷温水機に適用した実施形態を示している。
これらの実施形態に関係する図１５の参考例について説明する。
【００７４】
図１５で示す本発明の参考例にかかる吸収冷温水機においては、吸収器２２を出てポンプ２４でヘッドを付加された稀溶液は、稀溶液ラインＬ１を流れる。この、稀溶液ラインＬ１は、第１の分岐点ＢＰにおいて、ラインＬ１−１とラインＬ１−２に分岐する。ラインＬ１−１には低温溶液熱交換器２６が介装されており、ラインＬ１−２には冷媒ドレン熱交換器７０が介装されている。
ラインＬ１−１とラインＬ１−２とは、低温溶液熱交換器２６或いは冷媒ドレン熱交換器７０を経由してから、その近傍に設けられた第１の合流点ＧＰで合流してラインＬ１−３０となる。このラインＬ１−３０は、排熱焚再生器３０に連通しており、ラインＬ１−３０を流れる吸収溶液は、排熱焚再生器３０に供給される。
【００７５】
排熱焚再生器３０でラインＬ２を流れる排熱（温排水）により加熱・一部再生された吸収溶液は、低温再生器４８に連通しているラインＬ１−３１を流れる。そして、低温再生器４８で加熱・濃縮される。
排熱焚再生器３０で再生された冷媒蒸気は、ラインＬ１３を介して凝縮器５０に供給される。
【００７６】
低温再生器４８で加熱・濃縮された吸収溶液は溶液ラインＬ６を流れ、ポンプ６２でヘッドが付加され、高温溶液熱交換器４２を経由して高温再生器４４へ連通する。高温再生器４４のバーナ機構４５で加熱・濃縮された吸収溶液は、溶液ラインＬ３を流れて吸収器２２へ戻される。
【００７７】
高温再生器４４で再生した冷媒蒸気は、低温再生器４８に連通するラインＬ１１を流れ、低温再生器４８内の吸収溶液に保有するエンタルピーを供給して冷媒を再生した後、ラインＬ１１−７０を流れ、冷媒ドレン熱交換器７０を介してラインＬ１−２内の稀溶液にエンタルピーを供給し、凝縮器５０へ送られる。
【００７８】
この実施形態においても、図１１及び図１２の参考例で説明したのと同様に、ラインＬ１１−７０を流れる冷媒が保有するエンタルピーが、広い温度範囲に亘って、冷媒ドレン熱交換器７０を介して、稀溶液ラインＬ１−２内を流れる稀溶液に供給され、高温再生器４４（のバーナ機構４５）において付与されたエンタルピーが、冷媒蒸気発生のために有効に利用される。
そのため、吸収冷温水機全体の効率が向上する。
【００７９】
図１５の参考例における他の構成は、図１１、図１２の参考例と同様である。また図１５の参考例におけるその他の作用効果については、図１−図７の実施形態図１１−図１４の参考例と同様である。
【００８０】
図８は、本発明の第８実施形態にかかる吸収冷温水機を示す。
図１５で示す参考例では、第１の分岐点ＢＰで分岐した２本のラインＬ１−１とＬ１−２は、低温溶液熱交換器２６或いは冷媒ドレン熱交換器７０を経由してから直ちに、その近傍に設けられた第１の合流点ＧＰで合流している。
【００８１】
これに対して、図８の実施形態では、第１の分岐点ＢＰで分岐した稀溶液ラインＬ１−１は、低温溶液熱交換器２６を経由した後、直ちに合流すること無く、排熱焚再生器３０に連通し、その内部を流れる吸収溶液を排熱焚再生器３０へ供給する。
【００８２】
排熱焚再生器３０で加熱・一部再生された吸収溶液は、ラインＬ１−１３０を流れて低温再生器４８に供給される。そして、低温再生器４８で加熱・一部再生された吸収溶液は、ラインＬ６を流れポンプ６２でヘッドが負荷され、第１の合流点ＧＰでラインＬ１−２と合流してラインＬ６−４４となる。
ラインＬ６−４４は高温溶液熱交換器４２を経由して、高温再生器４４に連通する。
【００８３】
図８の実施形態のその他の構成は図１５で示す参考例と同様である。また、図８の実施形態の作用効果については、図１−図７で示す実施形態、図１１−図１４で示す参考例と同様である。
【００８４】
図９は本発明の第９実施形態にかかる吸収冷温水機を示す。
図８で示す実施形態では、ラインＬ１−２とラインＬ６とが合流する第１の合流点ＧＰは、低温再生器４８と高温溶液熱交換器４２との間の領域に設けられている。
【００８５】
これに対して、図９の実施形態では、ラインＬ６とラインＬ１−２とが合流する第１の合流点ＧＰは、高温溶液熱交換器４２と、高温再生器４４との間に設けられている。
換言すれば、低温再生器４８で加熱・濃縮され、ポンプ６２でヘッドが負荷された吸収溶液は、ラインＬ６を流れ、高温溶液熱交換器４２を経由した後に、第１の合流点ＧＰでラインＬ１−２と合流してラインＬ６−４４となる。そしてラインＬ６−４４は、高温再生器４４に連通する。
【００８６】
図９の実施形態のその他の構成は図８で示す実施形態と同様である。また、図９の実施形態の作用効果については、図１−図８で示す実施形態、図１１−図１４で示す参考例と同様である。
【００８７】
図１０は、本発明の第１０実施形態にかかる吸収冷温水機を示す。
図１０の実施形態においても、第１の分岐点ＢＰで分岐した稀溶液ラインＬ１−１は、低温溶液熱交換器２６を経由した後、直ちに合流すること無く、排熱焚再生器３０に連通する。そして、ラインＬ１−１の内部を流れる吸収溶液は、排熱焚再生器３０へ供給される。
【００８８】
排熱焚再生器３０で加熱・一部再生された吸収溶液は、低温再生器４８に連通するラインＬ１−１３０を流れ、第１の合流点ＧＰでラインＬ１−２に合流して、ラインＬ１−４８となる。ラインＬ１−４８は低温再生器４８に連通しており、その内部の吸収溶液は低温再生器４８へ供給される。
低温再生器４８で加熱・一部再生された吸収溶液は、ラインＬ６を流れポンプ６２でヘッドが負荷され、高温再生器４４へ供給される。
【００８９】
図１０の実施形態のその他の構成は図８−図９で示す実施形態と同様である。また、図１０の実施形態の作用効果については、図１−図９で示す実施形態、図１１−図１５で示す参考例と同様である。
【００９０】
なお、図１−図１０の実施形態のいずれについても、図１６、図１８の参考例で示す様に、下胴を複数段に構成し、吸収器には溶液冷却吸収器を設け、或いは高温溶液熱交換器と高温再生器の間の領域に高質燃料の排熱投入用の熱交換器を介装することが可能である。
すなわち、図１６、１８で示す参考例では、吸収器２２及び蒸発器５２、所謂「下胴」部分、が低圧側と高圧側の２段に構成され、吸収器２２Ｌには溶液冷却吸収器７４が設けられ、
ラインＬ１−４４またはラインＬ１−３１における高温溶液熱交換器４２と高温再生器４４の間の領域に、高質燃料排熱投入用熱交換器７６が介装されている。
【００９１】
また、図１−図１０の実施形態のいずれかについて、図１７、図１９の参考例で示す様に、排熱投入用熱交換器を介装して、吸収溶液に排熱を投入することが可能である。
すなわち、図１７、１９で示す参考例では、第１合流点ＧＰと排熱焚再生器３０を連通するラインＬ１−３０またはＬ１−３２に、排熱投入用熱交換器８０が介装されている。
【００９２】
【発明の効果】
以上説明した様に、本発明の吸収冷温水機では、高温再生器で吸収溶液を再生した後の排熱流体が保有するエンタルピーであって、従来は利用されなかったエンタルピーが、冷媒ドレン熱交換器を介して稀溶液に投入されて、稀溶液の加熱に利用される。そのため、高質燃料が有効利用され、吸収冷温水機の熱効率が更に改善される。
また本発明によれば、排熱焚再生器において、冷媒蒸気の再生量を増加して、吸収冷温水機の熱効率を改善することが出来る。
【図面の簡単な説明】
【図１】本発明の第１実施形態を示す模式的に表現するブロック図。
【図２】本発明の第２実施形態を示す模式的に表現するブロック図。
【図３】本発明の第３実施形態を示す模式的に表現するブロック図。
【図４】本発明の第４実施形態を示す模式的に表現するブロック図。
【図５】本発明の第５実施形態を示す模式的に表現するブロック図。
【図６】本発明の第６実施形態を示す模式的に表現するブロック図。
【図７】本発明の第７実施形態を示す模式的に表現するブロック図。
【図８】本発明の第８実施形態を示す模式的に表現するブロック図。
【図９】本発明の第９実施形態を示す模式的に表現するブロック図。
【図１０】本発明の第１０実施形態を示す模式的に表現するブロック図。
【図１１】本発明の第１の参考例を示す模式的に表現するブロック図。
【図１２】本発明の第２の参考例を示す模式的に表現するブロック図。
【図１３】本発明の第３の参考例を示す模式的に表現するブロック図。
【図１４】本発明の第４の参考例を示す模式的に表現するブロック図。
【図１５】本発明の第５の参考例を示す模式的に表現するブロック図。
【図１６】本発明の第６の参考例を示す模式的に表現するブロック図。
【図１７】本発明の第７の参考例を示す模式的に表現するブロック図。
【図１８】本発明の第８の参考例を示す模式的に表現するブロック図。
【図１９】本発明の第９の参考例を示す模式的に表現するブロック図。
【図２０】従来の吸収冷温水機の１例を模式的に表現するブロック図。
【図２１】その他の従来技術を模式的に表現するブロック図。
【図２２】さらに別の従来技術を模式的に表現するブロック図。
【符号の説明】
２０・・・吸収式冷温水機
２２・・・吸収器
２４、３２・・・ポンプ
２６・・・低温溶液熱交換器
３０・・・排熱焚再生器
Ｌ１、Ｌ１−１、Ｌ１−２、Ｌ１−２２、Ｌ１−２３、Ｌ３、Ｌ４、Ｌ５、Ｌ６、Ｌ６−１、Ｌ６−２、Ｌ８、Ｌ２２・・・溶液ライン
Ｌ１Ａ・・・溶液ラインの領域
Ｌ５、Ｌ１１、Ｌ１１−Ｄ、Ｌ１３、Ｌ１５、Ｌ１７、Ｌ１７Ｌ、Ｌ１７Ｈ、Ｌ５２、Ｌ７０・・・冷媒ライン
４２・・・高温溶液熱交換器
４４・・・高温再生器
４８・・・低温再生器
５０・・・凝縮器
５２・・・蒸発器
７０・・・冷媒ドレン熱交換器
７４・・・溶液冷却吸収器
７６・・・高質燃料排熱投入用熱交換器
８０・・・排熱投入用熱交換器
【図１】
0003791886.tif 000002
【図２】
0003791886.tif 000003
【図３】
0003791886.tif 000004
【図４】
0003791886.tif 000005
【図５】
0003791886.tif 000006
【図６】
0003791886.tif 000007
【図７】
0003791886.tif 000008
【図８】
0003791886.tif 000009
【図９】
0003791886.tif 000010
【図１０】
0003791886.tif 000011
【図１１】
0003791886.tif 000012
【図１２】
0003791886.tif 000013
【図１３】
0003791886.tif 000014
【図１４】
0003791886.tif 000015
【図１５】
0003791886.tif 000016
【図１６】
0003791886.tif 000017
【図１７】
0003791886.tif 000018
【図１８】
0003791886.tif 000019
【図１９】
0003791886.tif 000020
【図２０】
0003791886.tif 000021
【図２１】
0003791886.tif 000022
【図２２】
0003791886.tif 000023